【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
動画の現フレームの画像を含む複数のフレーム画像を合成して合成画像を生成する合成手段と、
前記現フレームの画像または前記合成画像を選択的に出力する選択手段と、
前記選択手段が出力する画像から予め定められた評価値を生成する生成手段と、を有し、
前記生成手段は、前記現フレームの画像から生成した前記評価値が閾値未満の場合には前記合成画像を出力するように前記選択手段を制御し、
前記動画の撮影フレームレートが前記動画の記録フレームレートまたは表示フレームレートよりも高いことを特徴とする画像処理装置。
【請求項２】
前記評価値が、前記選択手段が出力する画像から得られた情報の信頼度を表す値であることを特徴とする請求項１に記載の画像処理装置。
【請求項３】
前記生成手段が、前記選択手段が出力する画像に対して被写体検出処理を行い、
前記評価値が、検出された被写体領域の信頼度を表す値であることを特徴とする請求項１または２に記載の画像処理装置。
【請求項４】
前記生成手段が検出した前記被写体領域の情報を用い、前記動画のフレーム画像から表示用または記録用の画像データを生成する画像処理手段をさらに有することを特徴とする請求項３に記載の画像処理装置。
【請求項５】
前記評価値に基づいて前記合成手段が合成するフレーム画像の数を決定する決定手段をさらに有することを特徴とする請求項１から４のいずれか１項に記載の画像処理装置。
【請求項６】
前記決定手段は、前記数を増加または減少させた際に前記評価値が増加した場合には前記数を同じ方向に変化させ、前記数を増加または減少させた際に前記評価値が減少した場合には前記数を逆の方向に変化させる、ことを特徴とする請求項５に記載の画像処理装置。
【請求項７】
前記選択手段が前記合成画像を出力する場合であって、前記合成手段が前記合成画像を生成するために合成するフレーム画像の数を増加させた際に前記生成手段によって生成される前記評価値が増加した場合には、前記合成する前記フレーム画像の数をさらに増加させることを特徴とする請求項１に記載の画像処理装置。
【請求項８】
前記選択手段が前記合成画像を出力する場合であって、前記合成手段が前記合成画像を生成するために合成するフレーム画像の数を減少させた際に前記生成手段によって生成される前記評価値が増加した場合には、前記合成するフレーム画像の数をさらに減少させることを特徴とする請求項１に記載の画像処理装置。
【請求項９】
動画の現フレームの画像を含む複数のフレーム画像を合成して合成画像を生成する合成手段と、
前記現フレームの画像または前記合成画像を選択的に出力する選択手段と、
前記選択手段が出力する画像から予め定められた評価値を生成する生成手段と、を有し、
前記合成手段は、前記合成画像を生成するために合成するフレーム画像の数を増加させた際に前記生成手段によって生成される前記評価値が増加した場合には、前記合成するフレーム画像の数をさらに増加させることを特徴とする画像処理装置。
【請求項１０】
前記合成手段は、前記合成画像を生成するために合成するフレーム画像の数を減少させた際に前記生成手段によって生成される前記評価値が増加した場合には、前記合成するフレーム画像の数をさらに減少させることを特徴とする請求項９に記載の画像処理装置。
【請求項１１】
動画を撮影する撮像素子と、
前記撮像素子で撮影された動画を処理する請求項１から１０のいずれか１項に記載の画像処理装置と、
を有することを特徴とする撮像装置。
【請求項１２】
画像処理装置が実行する画像処理方法であって、
動画の現フレームの画像を含む複数のフレーム画像を合成して合成画像を生成する合成工程と、
前記現フレームの画像または前記合成画像を選択的に出力する選択工程と、
前記選択工程で出力される画像から予め定められた評価値を生成する生成工程と、
前記現フレームの画像から生成された前記評価値が閾値未満の場合には前記合成画像を出力するように前記選択工程を制御する制御工程と、を有し、
前記動画の撮影フレームレートが前記動画の記録フレームレートまたは表示フレームレートよりも高いことを特徴とする画像処理方法。
【請求項１３】
画像処理装置が実行する画像処理方法であって、
動画の現フレームの画像を含む複数のフレーム画像を合成して合成画像を生成する合成工程と、
前記現フレームの画像または前記合成画像を選択的に出力する選択工程と、
前記選択工程で出力される画像から予め定められた評価値を生成する生成工程と、
前記合成工程は、前記合成画像を生成するために合成するフレーム画像の数を増加させた際に前記生成工程によって生成される前記評価値が増加した場合には、前記合成するフレーム画像の数をさらに増加させることを特徴とする画像処理方法。
【請求項１４】
コンピュータを、請求項１から１０のいずれか１項に記載の画像処理装置の各手段として機能させるためのプログラム。
【手続補正２】
【補正対象書類名】明細書
【補正対象項目名】０００６
【補正方法】変更
【補正の内容】
【０００６】
上述の目的は、動画の現フレームの画像を含む複数のフレーム画像を合成して合成画像を生成する合成手段と、現フレームの画像または合成画像を選択的に出力する選択手段と、選択手段が出力する画像から予め定められた評価値を生成する生成手段と、を有し、生成手段は、現フレームの画像から生成した評価値が閾値未満の場合には合成画像を出力するように選択手段を制御し、動画の撮影フレームレートが動画の記録フレームレートまたは表示フレームレートよりも高いことを特徴とする画像処理装置によって達成される。
【手続補正３】
【補正対象書類名】明細書
【補正対象項目名】００１０
【補正方法】変更
【補正の内容】
【００１０】
●（第１実施形態）
図１は、本実施形態に係る撮像装置の機能構成例を示すブロック図である。
レンズユニット３０１は、撮影光学系であり、合焦距離を調整するためのフォーカスレンズを含む光学レンズ群と、絞りと、フォーカスレンズや絞りを駆動するモータやアクチュエータなどを有する。本実施形態においてレンズユニット３０１は撮像装置３００に固定されているものとするが、着脱可能であってもよい。また、絞りはシャッターを兼ねていてもよい。レンズユニット３０１は、撮像素子３０２の撮像面に光学像を形成する。
【手続補正４】
【補正対象書類名】明細書
【補正対象項目名】００２２
【補正方法】変更
【補正の内容】
【００２２】
本実施形態では、評価値生成部３１３が、被写体領域の検出処理の信頼度（検出された被写体領域ごとの、予め定められた被写体が写っている領域である信頼度）を、第２画像選択部３１２を制御するための評価値として生成する。具体的には、評価値生成部３１３は、評価値が閾値未満であれば合成画像データ３１０を、閾値以上であれば現フレームの画像データ３０４を出力するように第２画像選択部３１２を制御する制御信号３１５を生成する。なお、被写体領域の検出および、検出した被写体領域ごとの信頼度の算出は、いずれも公知の方法を用いることができるため、その詳細については説明を省略する。ここでは、信頼度（評価値）が０から１００の値を有し、０が最低、１００が最高の信頼度であるものとする。
【手続補正５】
【補正対象書類名】明細書
【補正対象項目名】００４８
【補正方法】変更
【補正の内容】
【００４８】
Ｓ４１１でＣＰＵ３２０は、記録用の動画撮影処理を完了するか否かを判定し、完了すると判定されれば撮影処理を終了してスタンバイ状態の動作に復帰する。また、ＣＰＵ３２０は、記録用の動画撮影処理を完了すると判定されなければ、処理をＳ４０６に戻して次のフレームの撮影処理を実行する。